(57)【要約】【課題】デジタル放送サービスを送信している国を容易に理解することができ、チャンネルの選択を容易ならしめるデジタル放送受信機を提供する。【解決手段】チャンネルスキャンを行う選局処理部５２と、チャンネルスキャンによってスキャンされたチャンネルのうちの受信可能なチャンネルでデジタル放送サービスを送信している国を判別する国判別処理部５３と、デジタル放送サービスを送信する国を特定できる図形からなる国特定グラフィックを記憶するメモリ６と、上記受信可能なチャンネルで送信されるデジタル放送サービスの名称に、国判別処理部で判別された国に応じてメモリから読み出された国特定グラフィックを対応付けたサービスリストを生成するグラフィック制御部７と、グラフィック制御部により生成されたサービスリストを表示するディスプレイ８とを備えている。【選択図】図１
2008187645.tif 000002
【特許請求の範囲】
【請求項１】
複数の国のデジタル放送を受信するデジタル放送受信機において、
チャンネルスキャンを行う選局処理部と、
前記選局処理部におけるチャンネルスキャンによってスキャンされたチャンネルのうちの受信可能なチャンネルでデジタル放送サービスを送信している国を判別する国判別処理部と、
前記デジタル放送サービスを送信する国を特定できる図形からなる国特定グラフィックを記憶するメモリと、
前記選局処理部におけるチャンネルスキャンによってスキャンされたチャンネルのうちの受信可能なチャンネルで送信されるデジタル放送サービスの名称に、前記国判別処理部で判別された国に応じて前記メモリから読み出された国特定グラフィックを対応付けたサービスリストを生成するグラフィック制御部と、
前記グラフィック制御部により生成されたサービスリストを表示するディスプレイ
とを備えたデジタル放送受信機。
【請求項２】
デジタル放送サービスを送信している任意の国を指定する国指定部を備え、
グラフィック制御部は、前記国指定部で指定された国が送信しているデジタル放送サービスの名称に、前記国判別処理部で判別された国に応じて前記メモリから読み出された国特定グラフィックを対応付けたサービスリストを生成する
ことを特徴とする請求項１記載のデジタル放送受信機。
【請求項３】
デジタル放送サービスを送信している任意の国を指定する国指定部を備え、
グラフィック制御部は、前記国指定部で指定された国以外の国が送信するデジタル放送サービスの名称および該デジタル放送サービスに対応付けられた国特定グラフィックをサービスリストから削除する
ことを特徴とする請求項１記載のデジタル放送受信機。
【請求項４】
国特定グラフィックは、国判別処理部で判別された国を視覚的にイメージできる、国旗または地図を含むグラフィック、または、文字である
ことを特徴とする請求項１乃至請求項３のいずれか１項記載のデジタル放送受信機。
【請求項５】
国の抽出を指示する国抽出指示部を備え、
グラフィック制御部は、前記国抽出指示部から指示された国のデジタル放送サービスの名称のみを含むサービスリストを生成する
ことを特徴とする請求項１記載のデジタル放送受信機。
【請求項６】
国のソートを指示する国ソート指示部を備え、
グラフィック制御部は、前記国ソート指示部からの指示に応じてサービスリストを国別にソートする
ことを特徴とする請求項１記載のデジタル放送受信機。
【発明の詳細な説明】
【技術分野】
【０００１】
この発明は、デジタル放送を受信するデジタル放送受信機に関し、特に複数のデジタル放送が受信される地域においてデジタル放送サービスを送信する国の識別を容易にする技術に関する。
【背景技術】
【０００２】
欧州などでは、近接している複数の国が同一のデジタル放送規格（ＤＶＢＴ：Ｄｉｇｉｔａｌ  Ｖｉｄｅｏ  Ｂｒｏａｄｃａｓｔ  −  Ｔｅｒｒｅｓｔｒｉａｌ）を用いてデジタル放送サービスを送信している。これらの国において、移動体に搭載され、複数の国のデジタル放送に対応したデジタル放送受信機でチャンネルスキャンおよびデジタル放送サービスの登録を行うと、複数の国で送信される多数のデジタル放送サービスの名称（例えば放送局名）をサービスリストとして表示させることができる。
【０００３】
なお、チャンネルスキャンにより得られた情報を用いる技術の１つとして、特許文献１は、同調点をサーチし、検出された放送チャネルにチャネル番号を割り付けるテレビジョン受像機を開示している。このテレビジョン受像機においては、ＣＰＵは、同調点のサーチ時に受信されたテレビジョン信号に含まれる放送チャネルの識別子を検出し、その識別子に基づいて放送局が属する国を判別する。ＣＰＵは続いて、判別された国に対応するフラグをセットし、サーチが終了した後、セットされたフラグに対応する国の放送チャネルに優先的にチャネル番号を割り付ける。この構成により、放送チャネルの割り付けは使用国に適したものとなる。
【０００４】
【特許文献１】特開平１０−２８４９０３号公報
【発明の開示】
【発明が解決しようとする課題】
【０００５】
しかしながら、上述したように、同一のデジタル放送規格を使用する近接している複数の国において、デジタル放送受信機でチャンネルスキャンおよびデジタル放送サービスの登録を行うと、多数のデジタル放送サービスの名称がサービスリストとして表示されるので、これらの国を母国としない人または欧州のシステムに不慣れな人には、表示されたデジタル放送サービスがどの国から送信されているかを理解するのが困難である。また、国境付近でチャンネルスキャンを実行した時などは、複数の国の電波が受信され、滞在している国以外のデジタル放送サービスの名称もサービスリストに混在して表示されるので、サービスリストに表示された多数のデジタル放送サービスの中から所望のチャンネルを選択するのが難しいという問題が発生している。
【０００６】
この発明は、上述した問題を解消するためになされたものであり、その課題は、デジタル放送サービスを送信している国を容易に理解することができ、チャンネルの選択を容易ならしめるデジタル放送受信機を提供することにある。
【課題を解決するための手段】
【０００７】
上記課題を解決するために、この発明に係るデジタル放送受信機は、チャンネルスキャンを行う選局処理部と、選局処理部におけるチャンネルスキャンによってスキャンされたチャンネルのうちの受信可能なチャンネルでデジタル放送サービスを送信している国を判別する国判別処理部と、デジタル放送サービスを送信する国を特定できる図形からなる国特定グラフィックを記憶するメモリと、選局処理部におけるチャンネルスキャンによってスキャンされたチャンネルのうちの受信可能なチャンネルで送信されるデジタル放送サービスの名称に、国判別処理部で判別された国に応じてメモリから読み出された国特定グラフィックを対応付けたサービスリストを生成するグラフィック制御部と、グラフィック制御部により生成されたサービスリストを表示するディスプレイとを備えている。
【発明の効果】
【０００８】
この発明に係るデジタル放送受信機によれば、チャンネルスキャンによってスキャンされたチャンネルのうちの受信可能なチャンネルでデジタル放送サービスを送信している国を判別し、そのデジタル放送サービスの名称に、判別された国に応じた国特定グラフィックを対応付けたサービスリストを生成して表示するように構成したので、ユーザは、デジタル放送サービスを送信している国を容易に理解することができ、チャンネルの選択を容易に行うことができる。
【発明を実施するための最良の形態】
【０００９】
以下、この発明の実施の形態を、図面を参照しながら詳細に説明する。なお、以下では、デジタル放送受信機の一例として、移動体に搭載されて使用されるデジタルテレビジョン放送受信機について説明する。
実施の形態１．
図１は、この発明の実施の形態１に係るデジタル放送受信機の構成を示すブロック図である。このデジタル放送受信機は、移動体用アンテナ１、フロントエンド部２、ＭＰＥＧデコーダ部３、リモートコントローラ（以下、「リモコン」という）受光部４、リモコン４ａ、中央処理装置（以下、「ＣＰＵ」という）５、メモリ６、グラフィック制御部７およびディスプレイ８から構成されている。
【００１０】
移動体用アンテナ１は、デジタルテレビジョン放送の電波を受信して電気信号に変換し、受信信号としてフロントエンド部２に送る。
【００１１】
フロントエンド部２は、いずれも図示は省略するが、テレビジョンチューナとＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）デコーダ部を備えている。テレビジョンチューナは、移動体用アンテナ１から受信信号として送られてくる高周波信号の中から、ＣＰＵ５から送られてくる選局信号に応じた１つの高周波信号を選択して中間周波信号（ＩＦ信号）にダウンコンバートし、ＯＦＤＭデコーダ部に送る。ＯＦＤＭデコーダ部は、テレビジョンチューナから送られてくる中間周波信号をＭＰＥＧ−ＴＳ（Ｍｏｔｉｏｎ  Ｐｉｃｔｕｒｅ  Ｃｏｄｉｎｇ  Ｅｘｐｅｒｔｓ  Ｇｒｏｕｐ  −  Ｔｒａｎｓｐｏｒｔ  Ｓｔｒｅａｍ）信号に変換し、ＭＰＥＧデコーダ部３に送る。
【００１２】
図２は、ＭＰＥＧ−ＴＳ信号のフォーマットの概要を示す。ＭＰＥＧ−ＴＳ信号は、１８８バイトの固定長からなるパケットの連なりから構成されており、各パケットはＴＳヘッダおよびペイロードから構成されている。そして、ペイロードに含まれるＴＯＴ（Ｔｉｍｅ  Ｏｆｆｓｅｔ  Ｔａｂｌｅ）データのＬｏｃａｌ  ｔｉｍｅ  ｏｆｆｓｅｔ  ｄｅｓｃｒｉｐｔｏｒに、ＭＰＥＧ−ＴＳ信号を送信している国の国コード（ｃｏｕｎｔｒｙ  ｃｏｄｅ）が含まれている。
【００１３】
国コード（ｃｏｕｎｔｒｙ  ｃｏｄｅ）は、図３に示すように、２４ビットのデータ長を有し、８ビットのＡＳＣＩＩコードによって３文字のアルファベットを構成している。このアルファベット３文字は、ＩＳＯ３１６６−１により国名コードとして規格化されているので、この３文字のアルファベットを参照することにより国の識別が可能である。このデジタル放送受信機は、国コードを参照することにより、デジタル放送サービス（以下、単に「サービス」という）を送信している国を識別する。
【００１４】
ＭＰＥＧデコーダ部３は、ＴＳデコーダ３１、ＡＶ（Ａｕｄｉｏ  Ｖｉｓｕａｌ）エンコーダ３２およびＣＰＵインタフェース３３を備えている。ＴＳデコーダ３１は、フロントエンド部２から送られてくるＭＰＥＧ−ＴＳ信号をデコードすることにより国コードを抽出し、ＣＰＵ５に送る。また、ＴＳデコーダ３１は、フロントエンド部２から送られてくるＭＰＥＧ−ＴＳ信号をデコードすることによりＡＶデータを抽出し、ＡＶエンコーダ３２に送る。さらに、ＴＳデコーダ３１は、フロントエンド部２から送られてくるＭＰＥＧ−ＴＳ信号をデコードすることによりサービスの名称（以下、「サービス名」という）を抽出し、ＣＰＵインタフェース３３に送る。
【００１５】
ＡＶエンコーダ３２は、ＴＳデコーダ３１から送られてくるＡＶデータをエンコードして映像信号および音声信号を生成し、ディスプレイ８に送る。なお、ディスプレイ８には、図示は省略しているが、音声信号に基づき音声を出力するスピーカが含まれている。また、ＡＶエンコーダ３２は、グラフィック制御部７から送られてくるメニュー画面データを映像信号に変換し、ディスプレイ８に送る。
【００１６】
ＣＰＵインタフェース３３は、ＣＰＵ５から送られてくる国判別結果（詳細は後述する）によって示される国の国名コードを伴ったサービス保存指令をメモリ６に送る。また、ＣＰＵインタフェース３３は、ＣＰＵ５から送られてくるグラフィック制御指令に応じてグラフィック制御部７を起動するとともに、ＴＳデコーダ３１から送られてくるサービス名をグラフィック制御部７に送る。
【００１７】
リモコン受光部４は、リモコン４ａが操作されることにより、そのリモコン４ａから送信されてくる光信号を受信して電気信号に変換し、各種操作を指示するリモコン信号としてＣＰＵ５に送る。なお、リモコン受光部４の代わりに、図示しない操作パネルのスイッチから各種操作を指示する信号をＣＰＵ５に送るように構成することもできる。
【００１８】
ＣＰＵ５は、操作処理部５１、選局処理部５２および国判別処理部５３から構成されている。操作処理部５１は、リモコン受光部４から送られてくるリモコン信号を解析し、この解析結果が選局に関する指示の場合は、その旨を選局処理部５２に通知し、解析結果がグラフィック制御に関する指示であれば、その旨をＭＰＥＧデコーダ部３の内部のＣＰＵインタフェース３３に通知する。
【００１９】
選局処理部５２は、操作処理部５１から送られてきた選局に関する指示が、１つのチャンネルの選択を示している場合は、そのチャンネルを選択するための選局信号を生成してフロントエンド部２に送り、操作処理部５１から送られてきた選局に関する指示が、チャンネルサーチを示している場合は、各チャンネルを選択するための選局信号を順次に生成してフロントエンド部２に送る。
【００２０】
国判別処理部５３は、図３に示す国コード（Ｃｏｕｎｔｒｙ  ｃｏｄｅ）と国名コードとを対応付けたテーブルを内蔵しており、ＭＰＥＧデコーダ部３のＴＳデコーダ３１から送られてくる国コードに基づき、サービスを送信している国（ＭＰＥＧ−ＴＳ信号を送信している国）を判別し、この判別結果をＭＰＥＧデコーダ部３に送る。具体的には、上記テーブルを参照することにより、国コードに対応する国名コードが取得され、判別結果としてＭＰＥＧデコーダ部３の内部のＣＰＵインタフェース３３に送られる。
【００２１】
メモリ６は、例えばＲＯＭ（Ｒｅａｄ  Ｏｎｌｙ  Ｍｅｍｏｒｙ）から構成されており、国特定グラフィックと国名を表す文字列を、サービス毎に記憶している。この実施の形態１に係るデジタル放送受信機では、国特定グラフィックとして、国旗の図形が使用されるものとする。このメモリ６は、ＭＰＥＧデコーダ部３のＣＰＵインタフェース３３から送られてくる国名コードを伴ったサービス保存指令に応じて、国名コードによって指定された国の国特定グラフィックと国名を表す文字列をグラフィック制御部７に送る。
【００２２】
グラフィック制御部７は、ＭＰＥＧデコーダ部３のＣＰＵインタフェース３３から起動されることにより動作を開始し、メモリ６から送られてくる国特定グラフィックと国名の文字列を取得し、ＴＳデコーダ３１から送られてくるサービス名に関連付けて、内蔵しているサービスリストに追加する。これにより、サービスの登録が行われる。そして、サービスリストを構成するメニュー画面データを生成して、ＭＰＥＧデコーダ部３に送る。
【００２３】
ディスプレイ８は、ＭＰＥＧデコーダ部３から送られてくるＡＶデータに基づく映像信号に応じた映像を表示するとともに、ＭＰＥＧデコーダ部３から送られてくるメニュー画面データに基づく映像信号に応じたサービスリストを表示する。
【００２４】
次に、上記のように構成される、この発明の実施の形態１に係るデジタル放送受信機の動作を、図４に示すフローチャートを参照しながら説明する。なお、このデジタル放送受信機では、ユーザが受信したいサービスを送信する国を、リモコン４ａを用いて予め指定できるものとする。この場合のリモコン４ａは、この発明の国指定部に対応する。国の指定の有無、および、国が指定された場合の国名（以下、「指定国」という）を表すデータは、図示しないＣＰＵ５の内部のメモリに予め記憶されているものとする。
【００２５】
ユーザがリモコン４ａを用いてチャンネルサーチを指示すると、まず、チャンネルスキャンが実行される（ステップＳＴ１１）。すなわち、ＣＰＵ５の操作処理部５１は、リモコン受光部４から送られてくるリモコン信号が、チャンネルサーチを指示していることを判断すると、全てのチャンネルに対する選局信号を順次に生成してフロントエンド部２に送る。これにより、フロントエンド部２からＭＰＥＧデコーダ部３を介して（図１では経路の記載は省略されている）、全てのチャンネルの放送受信可否を表す情報が取得され、ＣＰＵ５の図示しないメモリに記憶される。
【００２６】
次いで、ステップＳＴ１１におけるチャンネルスキャンによって得られた複数のチャンネルのうちの１つのチャンネルの放送を受信できるかどうかが調べられる（ステップＳＴ１２）。このステップＳＴ１２の処理は、図示しないメモリに記憶された放送受信可否を表す情報を参照することにより行われる。このステップＳＴ１２において、放送を受信できないことが判断されると、シーケンスはステップＳＴ１９に進み、処理対象が次のチャンネルへ切り替えられる。その後、シーケンスはステップＳＴ１２に戻り、上述した処理が繰り返される。
【００２７】
上記ステップＳＴ１２において、放送を受信できることが判断されると、ＴＯＴから国コードが取得される（ステップＳＴ１３）。すなわち、ＣＰＵ５の国判別処理部５３は、現在処理対象としているチャンネルのＭＰＥＧ−ＴＳ信号に基づいてＭＰＥＧデコーダ部３の内部のＴＳデコーダ３１が抽出した国コードを、このＴＳデコーダ３１から取得する。
【００２８】
次いで、サービスを送信する国が指定されているかどうかが調べられる（ステップＳＴ１４）。このステップＳＴ１４の処理は、ＣＰＵ５の内部の図示しないメモリに予め記憶されている「国の指定の有無」を参照することにより行われる。このステップＳＴ１４において、国が指定されていないことが判断されると、シーケンスはステップＳＴ１６に進む。一方、ステップＳＴ１４において、国が指定されていることが判断されると、次いで、ステップＳＴ１３で取得された国コードによって示される国と指定国とが一致するかどうかが調べられる（ステップＳＴ１５）。すなわち、ステップＳＴ１３で取得された国コードによって示される国と、ＣＰＵ５の内部の図示しないメモリに予め記憶されている「指定国」とが比較される。
【００２９】
このステップＳＴ１５において、ステップＳＴ１３で取得された国コードによって示される国と指定国とが一致することが判断されると、シーケンスはステップＳＴ１６に進む。ステップＳＴ１６においては、国特定グラフィックの関連付けが行われる。すなわち、ＣＰＵインタフェース３３は、ＣＰＵ５の国判別処理部５３から判別結果として送られてくる国名コードを伴ったサービス保存指令をメモリ６に送る。これにより、国名コードによって指定された国の国特定グラフィックと国名を表す文字列がメモリ６から読み出され、グラフィック制御部７に送られる。また、ＣＰＵインタフェース３３は、ＣＰＵ５から送られてくるグラフィック制御指令に応じて、ＴＳデコーダ３１から送られてくるサービス名をグラフィック制御部７に送る。これにより、サービス名に、国特定グラフィックと国名を表す文字列が関連付けられる。
【００３０】
次いで、サービスリストに追加される（ステップＳＴ１７）。すなわち、グラフィック制御部７は、ＣＰＵインタフェース３３から送られてくるサービス名と、メモリ６から送られてくる国特定グラフィックおよび国名を表す文字列とを、１つのデータとして内蔵するサービスリストに追加する。これにより、サービスの登録が行われる。その後、シーケンスはステップＳＴ１８に進む。上記ステップＳＴ１５において、ステップＳＴ１３で取得された国コードによって示される国と指定国とが一致しないことが判断されると、ステップＳＴ１６およびＳＴ１７の処理はスキップされ、シーケンスはステップＳＴ１８に進む。
【００３１】
ステップＳＴ１８においては、全チャンネルに対する処理が終了したかどうかが調べられる。このステップＳＴ１８において、全チャンネルに対する処理が終了していないことが判断されると、シーケンスはステップＳＴ１９に進んで次のチャンネルへ切り換えられ、その後、ステップＳＴ１２に戻って上述した処理が繰り返される。
【００３２】
以上の処理により、チャンネルスキャン結果として、図５に示すようなサービスリストが得られる。図５（ａ）は、例えば、国境付近でユーザが受信したいサービスを送信する国としてスペイン（Ｓｐａｉｎ）を指定した場合の例であり、スペインで送信しているサービス名のみを含むサービスリストが生成される。図５（ｂ）は、例えば、国境付近でユーザが受信したいサービスを送信する国を指定しなかった場合の例であり、スペインおよびフランス（Ｆｒａｎｃｅ）で送信しているサービス名が混在したサービスリストが生成される。国境付近では隣国の電波を受信することができるのでサービス名が混在する可能性があり、また、隣国の電波が微弱で正常な動画像が見られないことがあるため、ユーザが受信したいサービスを送信する国を指定できることは有効である。
【００３３】
上記ステップＳＴ１８において、全チャンネルに対する処理が終了したことが判断されると、リスト表示が行われる（ステップＳＴ２０）。すなわち、グラフィック制御部７は、サービスリストを構成するメニュー画面データを生成して、ＭＰＥＧデコーダ部３のＡＶエンコーダ３２に送り、その後、処理は終了する。これにより、例えば図６に示すように、サービス名に、国旗および国名が付加されたサービスリストがディスプレイ８に表示される。したがって、ユーザは、サービス名で示されるサービスを送信している国を一目で確認することができる。なお、図６においては、ユーザが受信したいサービスを送信する国を指定していない場合のサービスリストの例である。
【００３４】
なお、図６に示した例は、国特定グラフィックとして国旗を用いた場合の例であるが、国特定グラフィックとして他の図形等を用いることもできる。図７は、国特定グラフィックとして地図を用いた場合の例を示す。この場合、図７（ａ）に示すサービスリストのＣｏｕｎｔｒｙの項目のｍａｐを指定することにより、そのサービスを送信する国が地図上で強調表示される。図７（ｂ）に示す例は、Ｎｏ．００７のサービスのＣｏｕｎｔｒｙの項目のｍａｐにカーソル位置を合わせてリモコン４ａを押すことにより、地図上のスペインのみが強調表示された例を示している。さらに、国特定グラフィックとしては、国旗または地図の他に、国を視覚的にイメージできるグラフィックまたは文字を用いることもできる。
【００３５】
以上説明したように、この発明の実施の形態１に係るデジタル放送受信機によれば、チャンネルスキャンによってスキャンされたチャンネルのうちの受信可能なチャンネルでデジタル放送サービスを送信している国を判別し、そのデジタル放送サービスの名称に、判別された国に応じた国特定グラフィック（国旗または地図）を対応付けたサービスリストを生成して表示するように構成したので、ユーザは、デジタル放送サービスを送信している国を容易に理解することができ、チャンネルの選択を容易に行うことができる。
【００３６】
また、ユーザが受信したいサービスを送信する国を指定できるように構成したので、例えば、国境付近でチャンネルスキャンを行った場合に複数の国のサービス名がサービスリストに表示されるのを防止して、所望の国のサービス名のみを表示させることができる。その結果、ユーザは、チャンネルの選択を容易に行うことが可能になる。
【００３７】
実施の形態２．
この発明の実施の形態２に係るデジタル放送受信機は、ユーザが受信したいサービスを送信する国を指定することなくチャンネルスキャンによりスキャンされた受信可能な全てのチャンネルを含むサービスリストを作成しておき、その後、ユーザが受信したいサービスを送信する国を指定することにより、サービスリストから、その国以外のサービスを削除するようにしたものである。
【００３８】
この実施の形態２に係るデジタル放送受信機の構成は、図１に示した実施の形態１に係るデジタル放送受信機の構成と同じである。
【００３９】
次に、この発明の実施の形態２に係るデジタル放送受信機の動作を、図８に示すフローチャートを参照しながら説明する。なお、図４に示した実施の形態１に係るデジタル放送受信機における処理と同一の処理を行うステップには、図４で使用した符号と同一の符号を付して説明を簡略化する。
【００４０】
ユーザがリモコン４ａを用いてチャンネルサーチを指示すると、まず、チャンネルスキャンが実行される（ステップＳＴ１１）。次いで、ステップＳＴ１１におけるチャンネルスキャンによって得られた複数のチャンネルのうちの１つのチャンネルの放送を受信できるかどうかが調べられる（ステップＳＴ１２）。このステップＳＴ１２において、放送を受信できないことが判断されると、シーケンスはステップＳＴ１９に進み、処理対象が次のチャンネルへ切り替えられる。その後、シーケンスはステップＳＴ１２に戻り、上述した処理が繰り返される。
【００４１】
一方、ステップＳＴ１２において、放送を受信できることが判断されると、ＴＯＴから国コードが取得される（ステップＳＴ１３）。次いで、国特定グラフィックの関連付けが行われる（ステップＳＴ１６）。次いで、サービスリストに追加される（ステップＳＴ１７）。これにより、サービスの登録が行われる。次いで、全チャンネルに対する処理が終了したかどうかが調べられる（ステップＳＴ１８）。このステップＳＴ１８において、全チャンネルに対する処理が終了していないことが判断されると、シーケンスはステップＳＴ１９に進んで次のチャンネルへ切り換えられ、その後、ステップＳＴ１２に戻って上述した処理が繰り返される。
【００４２】
以上の処理により、チャンネルスキャン結果として、図５（ｂ）に示すような、サービスリストが得られる。図５（ｂ）は、上述したように、例えば国境付近でチャンネルスキャンを行うことにより、スペインおよびフランスで送信しているサービス名が混在したサービスリストが生成される例を示している。上記ステップＳＴ１８において、全チャンネルに対する処理が終了したことが判断されると、リスト表示が行われる（ステップＳＴ２０）。これにより、例えば図６に示すように、サービス名に、国旗および国名が付加されたサービスリストがディスプレイ８に表示される。したがって、ユーザは、サービス名で示されるサービスを送信している国を一目で確認することができる。
【００４３】
次いで、ユーザによって受信国を指定するかどうかが判断される（ステップＳＴ２１）。すなわち、ユーザは、ディスプレイ８に表示されたサービスリストを見て、受信したいサービスを送信する国を指定するかどうかを判断する。ここで、ユーザが受信国を指定しないことを判断すると、複数の国のサービスが混在するサービスリストを表示した状態でデジタル放送受信機の処理は終了する。
【００４４】
一方、ステップＳＴ２１において、ユーザが受信国を指定することを判断すると、次いで、ユーザは受信国指定を行う（ステップＳＴ２２）。具体的には、ユーザは、リモコン４ａを用いて受信したいサービスを送信する国を指定する。このリモコン４ａで指定された国は、リモコン受光部４、ＣＰＵ５の操作処理部５１およびＭＰＥＧデコーダ部３のＣＰＵインタフェース３３を介してグラフィック制御部７に送られる。
【００４５】
次いで、非受信国のサービスが削除される（ステップＳＴ２３）。すなわち、グラフィック制御部７は、ＣＰＵインタフェース３３から受け取った国のサービス以外のサービス名を、サービスリストから削除する。その後、グラフィック制御部７は、サービスリストを構成するメニュー画面データを生成して、ＭＰＥＧデコーダ部３のＡＶエンコーダ３２に送る。これにより、例えば図５（ａ）に示すような、ステップＳＴ２２で指定された国（この場合は、Ｓｐａｉｎ）のサービス名に国旗および国名が付加されたサービスリストがディスプレイ８に表示される。
【００４６】
以上説明したように、この発明の実施の形態２に係るデジタル放送受信機によれば、チャンネルスキャンによりスキャンされた受信可能な全てのチャンネルを含むサービスリストを作成しておき、その後、ユーザが受信したいサービスを送信する国を指定することにより、サービスリストから、その国以外のサービスを削除するように構成したので、上述した実施の形態１に係るデジタル放送受信機と同様の効果を奏する。
【００４７】
なお、上述した実施の形態１および実施の形態２に係るデジタル放送受信機は、サービスリストの中から任意の国を抽出し、抽出された国のサービス名のみを表示させるように変形することができる。すなわち、ユーザは、例えば図９（ａ）に示すように、ディスプレイ８の画面に表示された国一覧の中から、リモコン４ａを用いて抽出したい国を指定する。この場合のリモコン４ａは、この発明の国抽出指示部に対応する。このリモコン４ａで指定された国は、リモコン受光部４、ＣＰＵ５の操作処理部５１およびＭＰＥＧデコーダ部３のＣＰＵインタフェース３３を介してグラフィック制御部７に送られる。
【００４８】
グラフィック制御部７は、ＣＰＵインタフェース３３から受け取った国のサービスのみを抽出したテンポラリサービスリストを作成する。その後、グラフィック制御部７は、テンポラリサービスリストを構成するメニュー画面データを生成して、ＭＰＥＧデコーダ部３のＡＶエンコーダ３２に送る。これにより、例えば図９（ｂ）に示すような、抽出された国（この場合は、Ｓｐａｉｎ）のサービス名のみに国旗および国名が付加されたサービスリストがディスプレイ８に表示される。
【００４９】
この構成によれば、サービスリストに複数の国のサービス名が多数登録されていても、所望の国のサービス名のみを表示させることができる。また、サービスリストに登録されているサービス名は削除されないので、再度チャンネルスキャンを行わなくても、他の国のサービス名のみを表示させることもできる。
【００５０】
また、上述した実施の形態１および実施の形態２に係るデジタル放送受信機は、サービスリストの内容を国別にソートして表示させるように変形することもできる。すなわち、ユーザは、例えば図１０（ａ）に示すサービスリストがディスプレイ８に表示されている状態で、リモコン４ａを用いてソートを指示する。この場合のリモコン４ａは、この発明の国ソート指示部に対応する。このリモコン４ａを用いて行われたソート指定は、リモコン受光部４、ＣＰＵ５の操作処理部５１およびＭＰＥＧデコーダ部３のＣＰＵインタフェース３３を介してグラフィック制御部７に送られる。
【００５１】
グラフィック制御部７は、ＣＰＵインタフェース３３から受け取ったソート指示に応じて、サービスリストの内容を国別にソートする。その後、グラフィック制御部７は、ソートされたサービスリストを構成するメニュー画面データを生成して、ＭＰＥＧデコーダ部３のＡＶエンコーダ３２に送る。これにより、例えば図１０（ｂ）に示すような、国別にソートされたサービス名に国旗および国名が付加されたサービスリストがディスプレイ８に表示される。
【００５２】
この構成によれば、サービスリストに複数の国のサービス名が多数登録されていても、所望の国別にサービス名を表示させることができる。また、サービスリストに登録されているサービス名は削除されないので、再度チャンネルスキャンを行わなくても、他の国のサービス名を表示させることもできる。
【図面の簡単な説明】
【００５３】
【図１】この発明の実施の形態１に係るデジタル放送受信機の構成を示すブロック図である。
【図２】この発明の実施の形態１に係るデジタル放送受信機で使用されるＭＰＥＧ−ＴＳ信号のフォーマットの概要を示す図である。
【図３】この発明の実施の形態１に係るデジタル放送受信機で使用される国コードと国名コードとの対応を示す図である。
【図４】この発明の実施の形態１に係るデジタル放送受信機の動作を示すフローチャートである。
【図５】この発明の実施の形態１に係るデジタル放送受信機で得られるサービスリストの例を示す図である。
【図６】この発明の実施の形態１に係るデジタル放送受信機においてディスプレイに表示されるサービスリストの例を示す図である。
【図７】この発明の実施の形態１に係るデジタル放送受信機においてディスプレイに表示されるサービスリストの他の例を示す図である。
【図８】この発明の実施の形態２に係るデジタル放送受信機の動作を示すフローチャート図である。
【図９】この発明の実施の形態１および実施の形態２に係るデジタル放送受信機の変形例を説明するための図である。
【図１０】この発明の実施の形態１および実施の形態２に係るデジタル放送受信機の他の変形例を説明するための図である。
【符号の説明】
【００５４】
１  アンテナ、２  フロントエンド部、３  ＭＰＥＧデコーダ部、４  リモコン受光部、４ａ  リモコン（国指定部，国抽出指示部，国ソート指示部）、５  ＣＰＵ、６  メモリ、７  グラフィック制御部、８  ディスプレイ、３１  ＴＳデコーダ、３２  ＡＶエンコーダ、３３  ＣＰＵインタフェース、５１  操作処理部、５２  選局処理部、５３  国判別処理部。
【図１】
2008187645.tif 000003
【図２】
2008187645.tif 000004
【図３】
2008187645.tif 000005
【図４】
2008187645.tif 000006
【図５】
2008187645.tif 000007
【図６】
2008187645.tif 000008
【図７】
2008187645.tif 000009
【図８】
2008187645.tif 000010
【図９】
2008187645.tif 000011
【図１０】
2008187645.tif 000012